(57)【要約】【課題】温風吹出口を開閉するシャッターの上下動で、回転クランクに応力がかかって回転クランクに割れが発生することを防止する温風暖房機を提供する。【解決手段】ネジ２３の先端部分と回転クランク１１のネジ受け穴２９とが螺合して固定されているので、モータ軸２１の回転力が、ネジ２３の先端部分から貫通していない回転クランク１１のネジ受け穴２９に伝達され、それにより回転クランク１１にかかる応力が剛性のある回転クランク１１のネジ受け穴２９周辺にかかるので、モータ軸２１が繰り返し動作しても、回転クランク１１のネジ受け穴２９とネジ２３の先端部分とが螺合している部分にひびや割れが発生するのを防止できるものである。【選択図】図４
2008256318.tif 000002
【特許請求の範囲】
【請求項１】
温風吹出口を有する本体と、気化させた燃料を燃焼する燃焼器と、該燃焼器の燃焼により発生した熱を温風吹出口から吹き出させる送風ファンと、前記温風吹出口を開閉するシャッタと、該シャッタを駆動するシャッター駆動用モータと、一端を前記シャッター駆動用モータのモータ軸に係合し他端をシャッタに係合した回転クランクとを備えた温風暖房機に於いて、前記シャッター駆動用モータのモータ軸には、回転クランクの一端とモータ軸とを係合するネジが貫通するネジ挿入孔を形成し、前記回転クランクの一端にはモータ軸が挿入されるモータ軸用孔が形成されると共に、回転クランクの一端の側部からモータ軸用孔まで貫通するネジ用孔と、モータ軸用孔内周でネジ用孔の反対側にねじ切りされたネジ受け穴を形成し、前記回転クランクのモータ軸用孔にモータ軸が挿入された状態で、ネジがネジ用孔からモータ軸のネジ挿入孔を貫通してネジの先端がネジ受け穴と係合し、前記回転クランクの他端は前記シャッター上部に設けられた横長穴に横方向移動可能に係合されたことを特徴とする温風暖房機。
【請求項２】
前記回転クランクのモータ軸用孔にモータ軸が挿入された時、モータ軸用孔の内周とモータ軸の外周との間に隙間が生じるようにモータ軸用孔が形成されていると共に、ネジがネジ用孔からモータ軸のネジ挿入孔を貫通してネジの先端がネジ受け穴と係合した時、ネジ用孔及びネジ挿入孔の内周とネジの外周との間に隙間が生じるようにネジ用孔及びネジ挿入孔が形成されていることを特徴とする請求項１記載の温風暖房機。
【発明の詳細な説明】
【技術分野】
【０００１】
この発明は、温風暖房機に関するものである。
【背景技術】
【０００２】
従来よりこの種の温風暖房機として、温風吹出口をシャッターにて開閉し、暖房運転開始時にシャッターを動作して温風吹出口を開放し、暖房運転停止時にシャッターを動作して温風吹出口を閉鎖するものがあった。
【特許文献１】特開平５−２２３３４８号公報
【０００３】
この特許文献１に開示された温風暖房機は、図１及び図２及び図３に示すように、１は燃焼器、２はケーシングに固定される送風ファン、３は温風吹出口、４は前記温風吹出口３に設けられたルーバーフィン、５は前記燃焼器１の上部に設けられた燃焼筒である。６は燃焼室であり、前記燃焼器１からの燃焼ガスと前記送風ファン２によって送風された空気とが混合され、適度な温風となって前記温風吹出口３から室内へ吹き出される。７は前面パネル、８は運転スイッチ、９はシャッターで、前記シャッター９は前面パネル７の下部裏面に固設され、前記温風吹出口４を自動で開閉する。
【０００４】
１０はシャッター駆動用モータ、１１は回転クランクで、前記回転クランク１１の一端はシャッター駆動用モータ１０の軸方向に対して垂直方向に取り付けてあり、その他端が前記シャッター９の上部に設けられた横長穴１２に横方向移動可能に係合されている。
【０００５】
１３は温風吹出口下部にシャッターによる圧力を検出する圧力検出部、１４は燃焼筒５からの熱気と送風ファン２からの冷風とを混合する風洞、１５は本体内部の左右に設けられたレール、１６はシャッター９の左右両側に２対ずつ設けられているローラーで、レール１５とローラ１６は高分子樹脂にて形成されて摩擦抵抗が低減されているものである。
【０００６】
１７は一方のレールの上下に設けられた位置センサーであるフォトインタラプタで、シャッター９が上限位置または下限位置まで来ると、シャッター９の位置センサーがある側の上下に設けられた突部１８がフォトインタラプタ１７の光を遮ることによりこれを検出するものである。１９は表示部で、各種運転モードの表示をする。２０は制御基板で、運転を制御する制御回路が搭載されているものである。
【０００７】
この温風暖房機は、暖房停止状態では、シャッター９は閉じて温風吹出口３を覆っており、暖房運転を開始するために運転スイッチ８をオン操作すると、ヒーターが通電されて燃焼器１の予熱が開始される。
この燃焼器１の予熱が完了するとシャッター駆動用モータ１０が半回転し、同時にこのシャッター駆動用モータ１０に固定された回転クランク１１が半円を描くように回りながら下方から上方へ移動する。シャッター９はローラー１６とレール１５とにより上下方向の移動については自由度があり、横方向の自由度は規制されているので、回転クランク１１の先端部で、シャッター９の上部に設けられた横長穴１２により回転クランク１１の横方向の動きを吸収しながら回転クランク１１が上方へ移動することによりシャッター９を上方に移動させる。
【０００８】
また、暖房運転を停止させるために運転スイッチ８をオフにすると、燃焼器１への燃油の供給が停止され、燃焼を止めるように制御する。ここで燃焼器１が燃焼を停止しても、温風暖房機内は予熱でしばらくは熱いので、送風ファン２は所定時間が経過して機内が充分に冷えると、送風ファン２を停止させ、シャッター９を閉動作させる。シャッター９の閉動作は開動作と逆で、シャッター駆動用モータ１０が半回転し、同時にこのシャッター駆動用モータ１０に固定された回転クランク１１が半円を描くように回りながら上方から下方へ移動するものである。
【０００９】
そしてこの従来のものにおいては、モータ軸２１の側面に軸の略中心までのネジ挿入穴２２が形成されると共に、回転クランク１１のモータ軸２１と係合する側の端部側面には、ネジ２３が差し込まれ該ネジ２３と螺合するねじ切り部２４が形成されているネジ用孔２５が形成され、モータ軸２１を回転クランク１１のモータ軸２１と係合する側に形成したモータ軸用孔２６に差し込んだ状態で、ネジ用孔２５にネジ２３を差し込んでネジ止めすると、ネジ２３のねじ切りされていない先端部分がネジ挿入穴２２に挿入されるものである。
【００１０】
又、このネジ用孔２５にネジ２３を差し込んでネジ止めした時、ネジ２３のねじ切りされていない先端部分の外周と、ネジ挿入穴２２の内周との間に隙間が生じるようにネジ挿入穴２２の内径はネジ２３の先端部分の外径より大きく設けられているものである。
【発明の開示】
【発明が解決しようとする課題】
【００１１】
ところでこの従来のものにおいては、このシャッター９を上下させていると、この従来のシャッター駆動用モータ１０と回転クランク１１の取り付け方法では、回転クランク１１のネジ用孔２５の部分に応力がかかり、何回も動作することで合成樹脂製の回転クランク１１が割れたり、モータ軸２１と回転クランク１１を係合しているネジ２３が次第に緩んできて、モータ軸２１と回転クランク１１との間にすべりが生じてシャッター９の動きに悪影響を及ぼしてしまうという問題があった。
【００１２】
そこで本発明は、合成樹脂製の回転クランクが割れないようにして、シャッターの動きに悪影響を及ぼさない温風暖房機を提供することを目的とするものである。
【課題を解決するための手段】
【００１３】
そこで前記課題を解決するため、本発明では、温風吹出口を有する本体と、気化させた燃料を燃焼する燃焼器と、該燃焼器の燃焼により発生した熱を温風吹出口から吹き出させる送風ファンと、前記温風吹出口を開閉するシャッタと、該シャッタを駆動するシャッター駆動用モータと、一端を前記シャッター駆動用モータのモータ軸に係合し他端をシャッタに係合した回転クランクとを備えた温風暖房機に於いて、前記シャッター駆動用モータのモータ軸には、回転クランクの一端とモータ軸とを係合するネジが貫通するネジ挿入孔を形成し、前記回転クランクの一端にはモータ軸が挿入されるモータ軸用孔が形成されると共に、回転クランクの一端の側部からモータ軸用孔まで貫通するネジ用孔と、モータ軸用孔内周でネジ用孔の反対側にねじ切りされたネジ受け穴を形成し、前記回転クランクのモータ軸用孔にモータ軸が挿入された状態で、ネジがネジ用孔からモータ軸のネジ挿入孔を貫通してネジの先端がネジ受け穴と係合し、前記回転クランクの他端は前記シャッター上部に設けられた横長穴に横方向移動可能に係合されたものである。
【００１４】
また、請求項２では、請求項１記載の温風暖房機において、前記回転クランクのモータ軸用孔にモータ軸が挿入された時、モータ軸用孔の内周とモータ軸の外周との間に隙間が生じるようにモータ軸用孔が形成されていると共に、ネジがネジ用孔からモータ軸のネジ挿入孔を貫通してネジの先端がネジ受け穴と係合した時、ネジ用孔及びネジ挿入孔の内周とネジの外周との間に隙間が生じるようにネジ用孔及びネジ挿入孔が形成されているものである。
【発明の効果】
【００１５】
本発明によれば、ネジの先端部分と回転クランクのネジ受け穴とが螺合して固定されているので、モータ軸の回転力が、ネジの先端部分から貫通していない回転クランクのネジ受け穴に伝達され、それにより回転クランクにかかる応力が剛性のある回転クランクのネジ受け穴周辺にかかるので、モータ軸が繰り返し動作しても、回転クランクのネジ受け穴とネジの先端部分とが螺合している部分にひびや割れが発生するのを防止できるものである。
【００１６】
またネジが回転クランクのネジ用孔とモータ軸のネジ挿入孔との間に隙間が生じるように、ネジの先端が回転クランクのネジ受け穴と螺合して固定されているので、余計な応力が回転クランクにかからず、合成樹脂からなる回転クランクの割れの発生を防止でき、また、シャッター駆動用モータ自体のバックラッシュによるガタツキと、回転クランクとモータ軸とのガタツキが回転クランクのネジ用孔とモータ軸のネジ挿入孔との間の隙間で調整されてシャッターの動きをスムーズにすることができるものである。
【発明を実施するための最良の形態】
【００１７】
本発明の一実施形態を図面に基づいて説明する。
尚、従来の技術と同じものについては説明を省略する。
モータ軸２１の側面には、軸を水平方向に貫通するネジ挿入孔２７が形成され、該ネジ挿入孔２７の内径は、軸を水平方向に貫通するネジ２３の外周とネジ挿入孔２７の内周との間に隙間が生じるように、ネジ２３の外径より大きく設けられているものである。
【００１８】
回転クランク１１のモータ軸２１と係合する側の端部側面には、ネジ２３が差し込まれ該ネジ２３が貫通するネジ用孔２５が形成され、該ネジ用孔２５の内径は、貫通するネジ２３の外周とネジ用孔２５の内周との間に隙間が生じるように、ネジ２３の外径より大きく設けられているものである。
又、回転クランク１１のモータ軸２１と係合する側の端部の反対側には、シャッター９の上部に設けられた横長穴１２と係合するシャッター係合部２８が立設して形成されているものである。
【００１９】
又、回転クランク１１のネジ用孔２５の対面側には、先端部分がねじ切りされているネジ２３の先端部分と螺合するために、内周がねじ切りされたネジ受け穴２９が形成されているものである。
【００２０】
次にシャッター９の動作について説明する。
暖房停止状態では、シャッター９は閉じて温風吹出口３を覆っている。
この状態から暖房運転を行うため、まず運転スイッチ８をオン操作すると、運転開始信号が制御基板２０の制御回路に送られ、燃焼器１内のヒーターを通電し予熱を開始する。  
【００２１】
予熱が完了すると、制御回路はシャッター駆動用モータ１０を駆動するように制御し、それによりシャッター駆動用モータ１０は半回転し、同時にこのシャッター駆動用モータ１０に固定された回転クランク１１が半円を描くように回りながら下方から上方へ移動する。  
【００２２】
シャッター９はローラー１６とレール１５とにより上下方向の移動については自由度があり、横方向の自由度は規制されているので、回転クランク１１の先端部でシャッター９の上部に設けられた横長穴１２に横方向の動きに対して自由度を持たせて係合された部分では、横長穴１２により回転クランク１１の横方向の動きを吸収しながら回転クランク１１が上方へ移動することによりシャッター９を上方に移動させるものである。
【００２３】
この時、回転クランク１１とシャッター駆動用モータ１０のモーター軸２１は、回転クランク１１のモータ軸用孔２６にモーター軸２１が隙間を生じる状態で挿入され、その状態でネジ２３が隙間を生じる状態でネジ用孔２５から差し込まれ、更にモーター軸２１のネジ挿入孔２７を隙間を生じる状態で貫通し、ネジ２３の先端が回転クランク１１のねじ切りされているネジ受け穴２９と螺合して回転クランク１１とモーター軸２１が結合されているため、シャッター駆動用モータ１０のモーター軸２１が回転を始めると、まずモーター軸２１のネジ挿入孔２７の内部と、ネジ２３でその中を貫通している部分とが接触し、その状態で更にモーター軸２１が回転すると、ネジ２３の先端が螺合しているネジ受け穴２９にモーター軸２１の回転が伝達され、回転クランク１１が移動するものである。
【００２４】
このように従来のものは、内周がねじ切りされ、貫通して孔状になっている回転クランク１１のネジ用孔２５とネジ２３の頭近くに形成されたネジの部分とが螺合して固定され、モータ軸２１の回転力がネジ用孔２５が貫通して剛性が低くなったネジ用孔２５とネジ２３との螺合部分に作用して、モータ軸２１が繰り返し動作することで合成樹脂製の回転クランク１１のネジ用孔２５とネジ２３との螺合部分にひびや割れが発生してしまうのに対し、本発明はネジ２３の先端部分と回転クランク１１のネジ受け穴２９とが螺合して固定されているので、モータ軸２１の回転力が、ネジ２３の先端部分から貫通していない回転クランク１１のネジ受け穴２９に伝達され、それにより回転クランク１１にかかる応力が剛性のある回転クランク１１のネジ受け穴２９周辺にかかるので、モータ軸２１が繰り返し動作しても、回転クランク１１のネジ受け穴２９とネジ２３の先端部分とが螺合している部分にひびや割れが発生するのを防止できるものである。
【００２５】
またモータ軸用孔の内周とモータ軸の外周との間に隙間が生じるようにモータ軸用孔が形成されると共に、ネジ２３が回転クランク１１のネジ用孔２５とモータ軸２１のネジ挿入孔２７との間に隙間が生じるようにして、ネジ２３の先端が回転クランク１１のネジ受け穴２９と螺合して固定されているので、余計な応力が回転クランク１１にかからず、合成樹脂からなる回転クランク１１の割れの発生を防止でき、また、シャッター駆動用モータ１０自体のバックラッシュによるガタツキと、回転クランク１１とモータ軸２１とのガタツキが回転クランク１１のネジ用孔２５とモータ軸２１のネジ挿入孔２７との間の隙間で調整されてシャッター９の動きをスムーズにすることができるものである。
【図面の簡単な説明】
【００２６】
【図１】本発明の温風暖房機の全体図
【図２】同温風暖房機の正面図。
【図３】同温風暖房機の断面図。
【図４】同モータ軸と回転クランクの係合部分の要部断面図。
【図５】従来のモータ軸と回転クランクの係合部分の要部断面図。
【符号の説明】
【００２７】
１    燃焼器
２    送風ファン
３    温風吹出口
９    シャッター
１０  シャッター駆動用モータ
１１  回転クランク  
１２  横長穴
２１  モータ軸
２３  ネジ
２５  ネジ用孔  
２６  モータ軸用孔
２７  ネジ挿入孔
２９  ネジ受け穴
【図１】
2008256318.tif 000003
【図２】
2008256318.tif 000004
【図３】
2008256318.tif 000005
【図４】
2008256318.tif 000006
【図５】
2008256318.tif 000007